(57)【要約】  液体洗浄組成物にグリコールエーテル溶媒を使用して、硬質表面からの疎水性汚れの除去を改善し、また、組成物の泡立ち特性も改善することができる。【特許請求の範囲】
【請求項１】
表面の疎水性汚れを処理するための、及び／又は泡寿命（suds longevity）を付与するための、界面活性剤を含み、１０未満のｐＨを有する液体洗浄組成物におけるグリコールエーテル溶媒の使用であって、
前記グリコールエーテル溶媒は、
ｉ．式Ｉ：Ｒ1Ｏ（Ｒ2Ｏ）nＲ3；
ｉｉ．式ＩＩ：Ｒ4Ｏ（Ｒ5Ｏ）mＲ6；及び
ｉｉｉ．これらの混合物
（式中、
Ｒ1は直鎖又は分枝鎖Ｃ4、Ｃ5又はＣ6アルキル又は置換若しくは非置換フェニルであり、Ｒ2はエチル又はイソプロピルであり、Ｒ3は水素又はメチルであり、ｎは１、２又は３であり、
Ｒ4はｎ−プロピル又はイソプロピルであり、Ｒ5はイソプロピルであり、Ｒ6は水素又はメチルであり、ｍは１、２又は３である。）
のグリコールエーテルからなる群から選択される、使用。
【請求項２】
前記疎水性汚れは、油、脂肪、ポリマーグリース、及びこれらの混合物からなる群から選択される、請求項１に記載の使用。
【請求項３】
前記疎水性汚れは、植物油、好ましくは、ゴマ油、キャノーラ油、オリーブ油、菜種油、ヤシ油、トウモロコシ油、ピーナッツ油、ヒマワリ油、及びこれらの混合物からなる群から選択される植物油である、請求項２に記載の使用。
【請求項４】
前記界面活性剤及びグリコールエーテル溶媒は、５：１〜１：１の重量比で存在する、請求項１〜３のいずれか一項に記載の使用。
【請求項５】
前記界面活性剤は、非イオン性界面活性剤を含み、好ましくはアルコキシル化非イオン性界面活性剤、アルキルポリグリコシド、アミンオキシド、及びこれらの混合物からなる群から選択される非イオン性界面活性剤を含む、請求項１〜４のいずれか一項に記載の使用。
【請求項６】
前記界面活性剤系は、アニオン性界面活性剤と両性界面活性剤及び／又は双性イオン性界面活性剤を含み、前記アニオン性界面活性剤と前記両性界面活性剤及び／又は前記双性イオン性界面活性剤は、好ましくは９：１未満、より好ましくは５：１未満、より好ましくは４：１〜３：１の重量比で存在する、請求項１〜５のいずれか一項に記載の使用。
【請求項７】
前記アニオン性界面活性剤は、アルコキシル化アニオン性界面活性剤であり、好ましくはアルキルアルコキシル化サルフェートであり、前記アルコキシル化アニオン性界面活性剤は、０．２〜３、好ましくは０．２〜１の平均アルコキシル化度を有するのが好ましい、請求項１〜６のいずれか一項に記載の使用。
【請求項８】
前記界面活性剤系は、両性界面活性剤を含み、前記両性界面活性剤は少なくとも６０重量％のアミンオキシド界面活性剤を含む、請求項１〜７のいずれか一項に記載の使用。
【請求項９】
前記界面活性剤系は、両性界面活性剤及び双性イオン性界面活性剤を含み、前記両性界面活性剤及び前記双性イオン性界面活性剤は、好ましくは約２：１〜約１：２の重量比で存在し、より好ましくは、前記両性界面活性剤はアミンオキシド界面活性剤であり、前記双性イオン性界面活性剤はベタインである、請求項１〜８のいずれか一項に記載の使用。
【請求項１０】
前記組成物は、共溶媒を更に含み、好ましくはＣ２〜Ｃ４アルコール、Ｃ２〜Ｃ４ポリオール、ポリアルキレングリコール及びこれらの混合物からなる群から選択される共溶媒を更に含む、請求項１〜９のいずれか一項に記載の使用。
【請求項１１】
前記表面は、食卓用食器具であり、好ましくはセラミックス、グラス、金属製のカトラリー、及びこれらの組み合わせからなる群から選択される食卓用食器具である、請求項１〜１０のいずれか一項に記載の使用。
【請求項１２】
前記組成物は、本明細書で記載される方法を使用して測定すると、１時間後に１．５ｃｍより大きい、好ましくは２ｃｍより大きい、より好ましくは２．４ｃｍより大きい、最も好ましくは２．７ｃｍより大きい泡の高さをもたらす、泡寿命を付与するための、請求項１〜１１のいずれか一項に記載の使用。
【請求項１３】
表面から疎水性汚れを除去する方法であって、
ａ）所望により前記硬質表面を予め湿らす工程と、
ｂ）１０未満のｐＨを有し、界面活性剤と、
ｉ．式Ｉ：Ｒ1Ｏ（Ｒ2Ｏ）nＲ3；
ｉｉ．式ＩＩ：Ｒ4Ｏ（Ｒ5Ｏ）mＲ6；及び
ｉｉｉ．これらの混合物
（式中、
Ｒ1は直鎖又は分枝鎖Ｃ4、Ｃ5又はＣ6アルキル又は置換若しくは非置換フェニルであり、Ｒ2はエチル又はイソプロピルであり、Ｒ3は水素又はメチルであり、ｎは１、２又は３であり、
Ｒ4はｎ−プロピル又はイソプロピルであり、Ｒ5はイソプロピルであり、Ｒ6は水素又はメチルであり、ｍは１、２又は３である）
のグリコールエーテルからなる群から選択されるグリコールエーテル溶媒とを含む液体洗浄組成物を塗布する工程と、
ｃ）所望により前記硬質表面を水で洗い流すか又は拭き取る工程と、
を含む、方法。
【請求項１４】
前記液体洗浄組成物は、界面活性剤であって、前記界面活性剤の臨界ミセル濃度を超えて存在する界面活性剤を含む、請求項１３に記載の方法。
【請求項１５】
前記界面活性剤系は、アニオン性界面活性剤と両性活性剤及び／又は双性イオン性界面活性剤を含み、前記アニオン性界面活性剤と前記両性界面活性剤及び／又は前記双性イオン界面活性剤は、好ましくは約９：１未満、より好ましくは約５：１未満、より好ましくは約４：１〜約３：１の重量比で存在する、請求項１３又は１４に記載の方法。
【請求項１６】
スプレーを使用して前記液体洗浄組成物を塗布する、請求項１３〜１５のいずれか一項に記載の方法。
【請求項１７】
前記液体洗浄組成物は、前記硬質表面を洗い流すか又は拭き取る前に、前記硬質表面に少なくとも１５秒残る、請求項１３〜１６のいずれか一項に記載の方法。
【請求項１８】
前記疎水性汚れは前記表面に少なくとも１時間残る、請求項１３〜１７のいずれか一項に記載の方法。
【請求項１９】
１０未満のｐＨを有し、
ａ）界面活性剤；
ｂ）グリコールエーテル溶媒であって、
前記グリコールエーテル溶媒は、
ｉｖ．式Ｉ：Ｒ1Ｏ（Ｒ2Ｏ）nＲ3；
ｖ．式ＩＩ：Ｒ4Ｏ（Ｒ5Ｏ）mＲ6；及び
ｖｉ．これらの混合物
（式中、
Ｒ1は直鎖又は分枝鎖Ｃ4、Ｃ5又はＣ6アルキル又は置換若しくは非置換フェニルであり、Ｒ2はエチル又はイソプロピルであり、Ｒ3は水素又はメチルであり、ｎは１、２又は３であり、
Ｒ4はｎ−プロピル又はイソプロピルであり、Ｒ5はイソプロピルであり、Ｒ6は水素又はメチルであり、ｍは１、２又は３である）
のグリコールエーテルからなる群から選択される、グリコールエーテル溶媒
ｃ）キレート剤、好ましくはアミノカルボキシレートキレート剤、より好ましくはグルタミン−Ｎ，Ｎ−二酢酸の塩
を含む、表面の疎水性汚れを処理するための液体洗浄組成物。
【発明の詳細な説明】
【技術分野】
【０００１】
表面の汚れ、特に疎水性汚れを除去するための、並びに特に汚れ除去における改善された泡寿命（suds longevity）を付与するための、使用及び方法。
【背景技術】
【０００２】
疎水性汚れ、特に油、脂肪、及びポリマーグリースは多くの場合、床、調理台、ポット、パン及び皿等の表面、並びに更には布地にも存在する。このような疎水性汚れは、特に疎水性物質が長期間表面に残された後では、表面、特にセラミックス、及び少なくとも部分的に多孔質である表面から除去するのが困難である。更に、室内（家庭内）での使用において油及びグリースに対して耐久性であると知られている組成物は、多くの場合、肌、特に敏感肌、特に高ｐＨを有する肌に対して刺激が強い可能性がある。
【０００３】
更に、高ｐＨ組成物は、酵素、香料、染料保存料等を含む多くの機能的成分を安定させるのが困難な場合がある。更に、高ｐＨは影響を受けやすい表面に損傷をもたらす可能性がある。
【０００４】
更に、泡寿命は、疎水性残留物の存在下において特に、困難となる場合がある。ユーザーは、特に除去するのが困難な汚れを処理する場合に、泡の少なさを洗浄効果の低さと等しくみなすことがあるため、泡が少ないと、洗浄組成物の使用における不満に繋がる可能性がある。
【０００５】
そのために、このような汚れを表面、特に多孔質表面又は影響を受けやすい表面から除去する改善された方法をもたらす、安定した組成物に対する必要性が残っている。
【０００６】
米国特許出願第２００５／０２３３９２５（Ａ１）号は、ポリマーグリースを除去するための、有機溶媒を含む組成物に関する。米国特許出願第２００４／０１５７７６３（Ａ１）号は、有機溶媒と悪臭制御剤とを含む組成物に関する。
【先行技術文献】
【特許文献】
【０００７】
【特許文献１】米国特許出願第２００５／０２３３９２５（Ａ１）号
【特許文献２】米国特許出願第２００４／０１５７７６３（Ａ１）号
【発明の概要】
【課題を解決するための手段】
【０００８】
本発明は、表面の疎水性汚れを処理するための、又は泡寿命を付与するための、界面活性剤を含み、１０未満のｐＨを有する液体洗浄組成物におけるグリコールエーテル溶媒の使用に関する。本発明は更に、表面から疎水性汚れを除去するための方法に関する。本発明は更に、１０未満のｐＨを有し、界面活性剤、グリコールエーテル溶媒及びキレート剤を含む、表面上の疎水性汚れを処理するための液体洗浄組成物に関する。
【発明を実施するための形態】
【０００９】
本明細書に記載したグリコールエーテル溶媒を使用して、表面、特に影響を受けやすい表面の疎水性汚れの処理を改善するための、１０未満のｐＨを有する安定した液体洗浄組成物を配合することができる。このようなグリコールエーテル溶媒を含む組成物は、油、脂肪、ポリマーグリース、及びこれらの混合物から選択される疎水性汚れを処理するのに特に好適であることが発見されている。
【００１０】
油は、周囲温度（２１℃）にて液体である無極性物質であり、疎水性（水と不混和性）、並びに親油性（他の油及び有機溶媒と混和性）の両方である。油は通常、高い炭素含量及び水素含量を有する。油は、別様においては構造、性質、及び使用に関係ない場合がある、化合物の部類を含む。油は動物、植物、又は石油化学源に由来してよい。油は通常、食物、燃料、潤滑、並びに塗料、プラスチック、及び他の物質の製造に使用される。
【００１１】
脂肪は周囲温度（２１℃）にて軟性の、脂を含んだ固体であり、また、疎水性（水と不混和性）、並びに親油性（他の油及び有機溶媒と混和性）の両方である。脂肪は、動物、植物、又は石油化学製品に由来してよい。脂肪もまた通常、食物、燃料、潤滑、並びに塗料、プラスチック、及び他の物質の製造に使用される。
【００１２】
ポリマーグリースは、十分長い間残って重合し、通常はまた粘度も増加する温度まで加熱された、調理済み、ベーキング済み又は焼き着き油及び脂肪である。
【００１３】
本明細書に記載した、グリコールエーテル溶媒を含む液体洗浄組成物は特に、動物源又は植物源、特に植物源、とりわけ、ゴマ油、キャノーラ油、オリーブ油、菜種油、ヤシ油、トウモロコシ油、ピーナッツ油、ヒマワリ油、及びこれらの混合物から選択される植物源に由来している、油、脂肪、及びポリマーグリースの処理に好適である。
【００１４】
更にこのような組成物は、疎水性汚れの処理の間でさえ、より持続性の泡立ち特性もまた付与する。改善された泡立ち安定性は、ユーザーに、使用における液体洗浄組成物の効果の継続についての指標を提供する。
【００１５】
本明細書で定義するとき、ある成分が「本質的に含まれない」とは、その成分が、それぞれのプレミックス又は組成物に故意に全く取り込まれないことを意味する。好ましくは、ある成分が「本質的に含まれない」とは、その成分が、それぞれのプレミックス又は組成物に全く存在しないことを意味する。
【００１６】
本明細書で使用される全てのパーセント、比率及び割合は、別段の定めがない限り、プレミックスの重量パーセントである。全ての平均値は、特に明示的に指示されない限り、プレミックスの「重量で」計算される。
【００１７】
全ての測定は、別段の定めがない限り、２５℃で実施される。
【００１８】
特に明記しない限り、成分又は組成物の濃度は全て、当該成分又は組成物の活性部分に関するものであり、このような成分又は組成物の市販の供給源中に存在し得る不純物、例えば、残留溶媒又は副生成物は除外される。
【００１９】
グリコールエーテル溶媒：
本明細書で記載されるグリコールエーテル溶媒は、疎水性汚れ、特に、動物又は植物源に由来している油、脂肪、及びポリマーグリース、とりわけ植物油を含む汚れの除去の改善を提供する。グリコールエーテル溶媒は、式１又は式２のグリコールエーテルから選択される。
式１：Ｒ1Ｏ（Ｒ2Ｏ）nＲ3
（式中、
Ｒ1は直鎖又は分枝鎖Ｃ4、Ｃ5、又はＣ6アルキル、又は置換又は非置換フェニルであり、好ましくはｎ−ブチルであり（ベンジルは、本明細書で用いる置換フェニルの１つである）、
Ｒ2はエチル又はイソプロピルであり、好ましくはイソプロピルであり、
Ｒ3は水素又はメチルであり、好ましくは水素であり、
ｎは１、２又は３であり、好ましくは１又は２である）
式２：Ｒ4Ｏ（Ｒ5Ｏ）mＲ6
（式中、
Ｒ4はｎ−プロピル又はイソプロピルであり、好ましくはｎ−プロピルであり、
Ｒ5はイソプロピルであり、
Ｒ6は水素又はメチルであり、好ましくは水素であり、
ｍは１、２又は３であり、好ましくは１又は２である）
【００２０】
式１に従った好適なグリコールエーテル溶媒としては、エチレングリコールｎ−ブチルエーテル、ジエチレングリコールｎ−ブチルエーテル、トリエチレングリコールｎ−ブチルエーテル、プロピレングリコールｎ−ブチルエーテル、ジプロピレングリコールｎ−ブチルエーテル、トリプロピレングリコールｎ−ブチルエーテル、エチレングリコールｎ−ペンチルエーテル、ジエチレングリコールｎ−ペンチルエーテル、トリエチレングリコールｎ−ペンチルエーテル、プロピレングリコールｎ−ペンチルエーテル、ジプロピレングリコールｎ−ペンチルエーテル、トリプロピレングリコールｎ−ペンチルエーテル、エチレングリコールｎ−ヘキシルエーテル、ジエチレングリコールｎ−ヘキシルエーテル、トリエチレングリコールｎ−ヘキシルエーテル、プロピレングリコールｎ−ヘキシルエーテル、ジプロピレングリコールｎ−ヘキシルエーテル、トリプロピレングリコールｎ−ヘキシルエーテル、エチレングリコールフェニルエーテル、ジエチレングリコールフェニルエーテル、トリエチレングリコールフェニルエーテル、プロピレングリコールフェニルエーテル、ジプロピレングリコールフェニルエーテル、トリプロピレングリコールフェニルエーテル、エチレングリコールベンジルエーテル、ジエチレングリコールベンジルエーテル、トリエチレングリコールベンジルエーテル、プロピレングリコールベンジルエーテル、ジプロピレングリコールベンジルエーテル、トリプロピレングリコールベンジルエーテル、エチレングリコールイソブチルエーテル、ジエチレングリコールイソブチルエーテル、トリエチレングリコールイソブチルエーテル、プロピレングリコールイソブチルエーテル、ジプロピレングリコールイソブチルエーテル、トリプロピレングリコールイソブチルエーテル、エチレングリコールイソペンチルエーテル、ジエチレングリコールイソペンチルエーテル、トリエチレングリコールイソペンチルエーテル、プロピレングリコールイソペンチルエーテル、ジプロピレングリコールイソペンチルエーテル、トリプロピレングリコールイソペンチルエーテル、エチレングリコールイソヘキシルエーテル、ジエチレングリコールイソヘキシルエーテル、トリエチレングリコールイソヘキシルエーテル、プロピレングリコールイソヘキシルエーテル、ジプロピレングリコールイソヘキシルエーテル、トリプロピレングリコールイソヘキシルエーテル、エチレングリコールｎ−ブチルメチルエーテル、ジエチレングリコールｎ−ブチルメチルエーテル、トリエチレングリコールｎ−ブチルメチルエーテル、プロピレングリコールｎ−ブチルメチルエーテル、ジプロピレングリコールｎ−ブチルメチルエーテル、トリプロピレングリコールｎ−ブチルメチルエーテル、エチレングリコールｎ−ペンチルメチルエーテル、ジエチレングリコールｎ−ペンチルメチルエーテル、トリエチレングリコールｎ−ペンチルメチルエーテル、プロピレングリコールｎ−ペンチルメチルエーテル、ジプロピレングリコールｎ−ペンチルメチルエーテル、トリプロピレングリコールｎ−ペンチルメチルエーテル、エチレングリコールｎ−ヘキシルメチルエーテル、ジエチレングリコールｎ−ヘキシルメチルエーテル、トリエチレングリコールｎ−ヘキシルメチルエーテル、プロピレングリコールｎ−ヘキシルメチルエーテル、ジプロピレングリコールｎ−ヘキシルメチルエーテル、トリプロピレングリコールｎ−ヘキシルメチルエーテル、エチレングリコールフェニルメチルエーテル、ジエチレングリコールフェニルメチルエーテル、トリエチレングリコールフェニルメチルエーテル、プロピレングリコールフェニルメチルエーテル、ジプロピレングリコールフェニルメチルエーテル、トリプロピレングリコールフェニルメチルエーテル、エチレングリコールベンジルメチルエーテル、ジエチレングリコールベンジルメチルエーテル、トリエチレングリコールベンジルメチルエーテル、プロピレングリコールベンジルメチルエーテル、ジプロピレングリコールベンジルメチルエーテル、トリプロピレングリコールベンジルメチルエーテル、エチレングリコールイソブチルメチルエーテル、ジエチレングリコールイソブチルメチルエーテル、トリエチレングリコールイソブチルメチルエーテル、プロピレングリコールイソブチルメチルエーテル、ジプロピレングリコールイソブチルメチルエーテル、トリプロピレングリコールイソブチルメチルエーテル、エチレングリコールイソペンチルメチルエーテル、ジエチレングリコールイソペンチルメチルエーテル、トリエチレングリコールイソペンチルメチルエーテル、プロピレングリコールイソペンチルメチルエーテル、ジプロピレングリコールイソペンチルメチルエーテル、トリプロピレングリコールイソペンチルメチルエーテル、エチレングリコールイソヘキシルメチルエーテル、ジエチレングリコールイソヘキシルメチルエーテル、トリエチレングリコールイソヘキシルメチルエーテル、プロピレングリコールイソヘキシルメチルエーテル、ジプロピレングリコールイソヘキシルメチルエーテル、トリプロピレングリコールイソヘキシルメチルエーテル、及びこれらの混合物が挙げられる。
【００２１】
式１に従った好ましいグリコールエーテル溶媒は、エチレングリコールｎ−ブチルエーテル、ジエチレングリコールｎ−ブチルエーテル、トリエチレングリコールｎ−ブチルエーテル、プロピレングリコールｎ−ブチルエーテル、ジプロピレングリコールｎ−ブチルエーテル、トリプロピレングリコールｎ−ブチルエーテル、及びこれらの混合物である。
【００２２】
式１に従った最も好ましいグリコールエーテルは、プロピレングリコールｎ−ブチルエーテル、ジプロピレングリコールｎ−ブチルエーテル、及びこれらの混合物である。
【００２３】
式２に従った好適なグリコールエーテル溶媒としては、プロピレングリコールｎ−プロピルエーテル、ジプロピレングリコールｎ−プロピルエーテル、トリプロピレングリコールｎ−プロピルエーテル、プロピレングリコールイソプロピルエーテル、ジプロピレングリコールイソプロピルエーテル、トリプロピレングリコールイソプロピルエーテル、プロピレングリコールｎ−プロピルメチルエーテル、ジプロピレングリコールｎ−プロピルメチルエーテル、トリプロピレングリコールｎ−プロピルメチルエーテル、プロピレングリコールイソプロピルメチルエーテル、ジプロピレングリコールイソプロピルメチルエーテル、トリプロピレングリコールイソプロピルメチルエーテル、及びこれらの混合物が挙げられる。
【００２４】
式２に従った好ましいグリコールエーテル溶媒は、プロピレングリコールｎ−プロピルエーテル、ジプロピレングリコールｎ−プロピルエーテル、及びこれらの混合物である。
【００２５】
最も好ましいグリコールエーテル溶媒は、プロピレングリコールｎ−ブチルエーテル、ジプロピレングリコールｎ−ブチルエーテル、及びこれらの混合物、特にジプロピレングリコールｎ−ブチルエーテルである。
【００２６】
好適なグリコールエーテル溶媒は、Ｄｏｗ  Ｃｈｅｍｉｃａｌ  Ｃｏｍｐａｎｙから購入することができ、より詳細にはＥシリーズ（エチレングリコール系）グリコールエーテル、及びＰシリーズ（プロピレングリコール系）グリコールエーテルのラインナップから購入することができる。好適なグリコールエーテル溶媒としては、ブチルカルビトール、ヘキシルカルビトール、ブチルセロソルブ、ヘキシルセロソルブ、ブトキシトリグリコール、ドワノールＥｐｈ、ドワノールＰｎＰ、ドワノールＤＰｎＰ、ドワノールＰｎＢ、ドワノールＤＰｎＢ、ドワノールＴＰｎＢ、ドワノールＰＰｈ、及びこれらの混合物が挙げられる。
【００２７】
グリコールエーテル溶媒は、通常、組成物の１０重量％未満、より好ましくは１重量％〜７重量％の量で存在する。
【００２８】
組成物は共溶媒、例えばＣ２〜Ｃ４アルコール、Ｃ２〜Ｃ４ポリオール、ポリアルキレングリコール及びこれらの混合物からなる群から選択される溶媒を含むことができる。
【００２９】
液体洗浄組成物：
本発明で使用するための液体洗浄組成物は、本明細書に記載したグリコールエーテル溶媒を含む。
【００３０】
好ましい実施形態では、本明細書における液体洗浄組成物は、水性組成物である。したがって、液体洗浄組成物は、全組成物の３０重量％〜９９．５重量％、好ましくは４０重量％〜９８重量％、そしてより好ましくは５０重量％〜８５重量％の水を含んでよい。
【００３１】
液体洗浄組成物のｐＨは１０未満である。ｐＨは７．０〜１０、より好ましくは８．０〜９．５であることができる。上述のｐＨ範囲は、グリコールエーテル溶媒と組み合わせて、より影響を受けやすい表面に対し安全なものでありながら、脂の多い汚れ、及び脂の多い粒子状の汚れの洗浄による除去の改善をもたらすと考えられている。したがって、本明細書の組成物は、適宜ｐＨを調整するために酸又は塩基を更に含んでもよい。
【００３２】
あるいは、そして特に水垢処理が所望される場合において、ｐＨを酸性とすることができる。ｐＨは７未満、好ましくは１〜６．５、より好ましくは１．５〜３．５、最も好ましくは２．０〜４である。
【００３３】
本明細書で用いるのに好適な酸は、有機及び／又は無機酸である。本明細書における使用に好ましい有機酸は、６未満のｐＫａを有する。好適な有機酸は、クエン酸、乳酸、グリコール酸、コハク酸、グルタル酸及びアジピン酸、並びにこれらの混合物からなる群から選択される。好適な無機酸は、塩酸、硫酸、リン酸及びこれらの混合物からなる群から選択することができる。
【００３４】
存在する場合、このような酸の典型的な量は、全組成物の０．０１重量％〜８．０重量％、好ましくは０．５重量％〜５．０重量％、及びより好ましくは１．０重量％〜３．０重量％である。
【００３５】
本明細書の組成物は、乳酸を含むことができる。乳酸が存在することにより、本発明による組成物には抗菌／消毒効果が更にもたらされることが見出されている。本発明に従った組成物は、全組成物の１０重量％以下、好ましくは０．１重量％〜６重量％、より好ましくは０．２重量％〜５．０重量％、更により好ましくは０．５重量％〜４．０重量％、そして最も好ましくは１．０重量％〜３．０重量％の乳酸を含んでよい。
【００３６】
本明細書において使用される好適な塩基は、有機及び／又は無機塩基である。本明細書で用いるのに好適な塩基は、水酸化ナトリウム、水酸化カリウム、及び／若しくは水酸化リチウムのような苛性アルカリ、並びに／又は、酸化ナトリウム、及び／若しくは酸化カリウムのようなアルカリ金属酸化物、又はそれらの混合物である。好ましい塩基は苛性アルカリであり、より好ましくは、水酸化ナトリウム及び／又は水酸化カリウムである。
【００３７】
他の好適な塩基としては、アンモニア、アンモニウムカーボネート、Ｋ2ＣＯ3、Ｎａ2ＣＯ3、並びにアルカノールアミン（モノエタノールアミン、トリエタノールアミン、アミノメチルプロパノール、及びこれらの混合物）が挙げられる。アルカノールアミン、特にメタノールアミンが特に好ましい。
【００３８】
存在する場合、このような塩基の典型的な量は、全組成物の０．０１重量％〜５．０重量％、好ましくは０．０５重量％〜３．０重量％、そしてより好ましくは０．１重量％〜２．０重量％である。
【００３９】
改善された汚れ浸透のために、液体硬質表面処理組成物は、ｐＨ７において、ＮａＯＨ／組成物１００ｍＬとして表される、約０．１〜約１、好ましくは０．２〜０．７、より好ましくは０．３〜０．５の予備アルカリ度（reserve alkalinity）を有することが好ましい。
【００４０】
別段の定めがない限り、全ての比率は重量／重量レベルとして計算される。
【００４１】
界面活性剤：
液体洗浄組成物は界面活性剤を含む。液体洗浄組成物は３重量％を超える界面活性剤を含むことが好ましい。組成物は、組成物の３重量％〜６０重量％、より好ましくは５重量％〜５０重量％、そして最も好ましくは８重量％〜４０重量％の量で界面活性剤を含むのが好ましい。
【００４２】
改善された汚れ放出のために、界面活性剤及びグリコールエーテル溶媒は、５：１〜１：１の重量比で存在する。
【００４３】
界面活性剤系は、アニオン性界面活性剤、より好ましくはアルコキシル化サルフェート型アニオン性界面活性剤を含むのがより好ましい。系は所望により、両性、双性イオン性、非イオン性界面活性剤及びこれらの混合物を含むことができる。
【００４４】
界面活性剤系はアルキルサルフェート及び／又はアルキルエトキシサルフェート；より好ましくはアルキルサルフェート及び／又はアルキルエトキシサルフェートの組み合わせを、０．５よ超かつ５未満、好ましくは３未満、より好ましくは２未満の組み合わせ平均エトキシル化度、及び約５％〜約４０％の平均分枝度で含むのが好ましい。
【００４５】
本発明の組成物は、両性及び／又は双性イオン界面活性剤、より好ましくはアミンオキシド及び／又はベタイン界面活性剤を更に含むのが好ましい。
【００４６】
本発明の洗剤組成物に最も好ましい界面活性剤系はそれ故、（ｉ）全組成物の１重量％〜４０重量％、好ましくは６重量％〜３２重量％、より好ましくは８重量％〜２５重量％のアニオン性界面活性剤、好ましくはアルコキシル化サルフェート界面活性剤、（２）加えて、組成物の０．０１重量％〜２０重量％、好ましくは０．２重量％〜１５重量％、より好ましくは０．５重量％〜１０重量％の両性及び／又は双性イオン性及び／又は非イオン性界面活性剤、より好ましくは両性、そして更に好ましくは、アミンオキシド界面活性剤及び非イオン性界面活性剤を含む。このような界面活性剤系は、本発明に従ったグリコールエーテル溶媒と組み合わせて、手洗い用食器洗剤で必要な優れたグリース洗浄をもたらすことが見出されている。
【００４７】
アニオン性界面活性剤
アニオン性界面活性剤としては、その分子構造中に一般に８〜２２個の炭素原子又は一般に８〜１８個の炭素原子を含む有機疎水基と、水溶性化合物を形成するための、好ましくはスルホネート、サルフェート、及びカルボキシレートから選択される少なくとも１つの水可溶化基と、を含有する、界面活性化合物が挙げられるが、これらに限定されない。通常、疎水基は、Ｃ８〜Ｃ２２のアルキル又はアシル基を含む。このような界面活性剤は水溶性塩の形態で用いられ、塩形成カチオンは通常、ナトリウム、カリウム、アンモニウム、マグネシウム、及びモノ、ジ又はトリＣ２〜Ｃ３アルカノールアンモニウムから選択され、ナトリウムが通常選択されるカチオンである。
【００４８】
アニオン性界面活性剤は単一の界面活性剤であってよいが、通常はアニオン性界面活性剤の混合物である。好ましくはアニオン性界面活性剤は、サルフェート界面活性剤、より好ましくは、アルキルサルフェート、アルキルアルコキシサルフェート及びこれらの混合物からなる群から選択されるサルフェート界面活性剤を含む。本明細書に用いるのに好ましいアルキルアルコキシサルフェートは、アルキルエトキシサルフェートである。
【００４９】
好ましくはアニオン性界面活性剤はアルコキシル化されており、より好ましくは、約０．２〜約４、更により好ましくは約０．３〜約３、更により好ましくは約０．４〜約１．５、特に約０．４〜約１のアルコキシル化度を有するアルコキシル化分枝状アニオン性界面活性剤である。好ましくは、アルコキシ基はエトキシ基である。分枝状アニオン性界面活性剤が界面活性剤の混合物であるとき、アルコキシル化度は混合物の全ての成分の重量平均アルコキシ化度（重量平均アルコキシ化度）である。重量平均アルコキシル化度の計算において、アルコキシル化された基を有さないアニオン性界面活性剤成分の重量も含める必要がある。
重量平均アルコキシル化度＝（ｘ１*界面活性剤１のアルコキシ化度＋ｘ２*界面活性剤２のアルコキシ化度＋．．．）／（ｘ１＋ｘ２＋．．．）
式中、ｘ１、ｘ２、．．．は、混合物の各アニオン性界面活性剤のグラム単位の重量であり、アルコキシ化度は、各アニオン性界面活性剤のアルコキシ基の数である。
【００５０】
好ましくは、本発明の洗剤で使用するアニオン性界面活性剤は、約５％〜約４０％、好ましくは約１０％〜約３５％、より好ましくは約２０％〜約３０％の分枝率を有する分枝状アニオン性界面活性剤である。好ましくは、分枝基はアルキルである。典型的には、アルキルは、メチル基、エチル基、プロピル基、ブチル基、ペンチル基、環状アルキル基及びこれらの混合物から選択される。本発明の洗剤で使用するアニオン性界面活性剤を生成するために用いる、出発アルコール（複数を含む）のヒドロカルビル主鎖には、単一又は複数のアルキル分枝基を存在させることができる。最も好ましくは、分枝状アニオン性界面活性剤は、アルキルサルフェート、アルキルエトキシサルフェート、及びこれらの混合物から選択される。
【００５１】
分枝状アニオン性界面活性剤は、単一のアニオン性界面活性剤又はアニオン性界面活性剤の混合物であり得る。単一の界面活性剤の場合、分枝の割合は、界面活性剤が誘導される元のアルコールにおいて分枝しているヒドロカルビル鎖の重量％を指す。
【００５２】
界面活性剤混合物の場合、分枝の割合は重量平均であり、以下の式に従って定義される。
分枝の重量平均（％）＝［（ｘ１*アルコール１中の分枝アルコール１の重量％＋ｘ２*アルコール２中の分枝アルコール２の重量％＋．．．）／（ｘ１＋ｘ２＋．．．）］*１００
式中、ｘ１、ｘ２、．．．は、本発明の洗剤のアニオン性界面活性剤のための出発原料として使用したアルコールの全アルコール混合物中の各アルコールのグラム単位の重量である。重量平均分枝化度の計算において、分枝基を有さないアニオン性界面活性剤成分の重量も含める必要がある。
【００５３】
界面活性剤系は、界面活性剤系の、少なくとも５０重量％、より好ましくは少なくとも６０重量％、そして好ましくは少なくとも７０重量％の分枝状アニオン性界面活性剤を含むのが好ましく、分枝状アニオン性界面活性剤は、分枝状アニオン性界面活性剤の５０重量％を超える、約０．２〜約３のエトキシ化度及び好ましくは約５％〜約４０％の分枝度を有するアルキルエトキシ化サルフェートを含むのがより好ましい。
【００５４】
サルフェート界面活性剤
本明細書で使用するのに好適なサルフェート界面活性剤としては、Ｃ８〜Ｃ１８のアルキル若しくはヒドロキシアルキル、サルフェート及び／又はエーテルサルフェートの水溶性塩が挙げられる。好適な対イオンとしては、アルカリ金属カチオン又はアンモニウム若しくは置換アンモニウムが挙げられるが、ナトリウムが好ましい。
【００５５】
サルフェート界面活性剤は、Ｃ８〜Ｃ１８一級、分枝鎖及びランダムアルキルサルフェート（ＡＳ）；Ｃ８〜Ｃ１８二級（２，３）アルキルサルフェート；Ｃ８〜Ｃ１８アルキルアルコキシサルフェート（ＡＥｘＳ）（式中、ｘは１〜３０であることが好ましく、アルコキシ基は、エトキシ、プロポキシ、ブトキシ、あるいはより高級なアルコキシ基、及びこれらの混合物から選択することができる）から選択されてよい。
【００５６】
アルキルサルフェート及びアルキルアルコキシサルフェートは、様々な鎖長、エトキシル化度及び分枝度で市販されている。市販品として入手可能なサルフェートとしては、Ｓｈｅｌｌ社製のＮｅｏｄｏｌアルコール、Ｓａｓｏｌ社製のＬｉａｌ−Ｉｓａｌｃｈｅｍｌ及びＳａｆｏｌ、Ｐｒｏｃｔｅｒ  ＆  Ｇａｍｂｌｅ  Ｃｈｅｍｉｃａｌｓ社製の天然アルコールをベースにしたものが挙げられる。
【００５７】
好ましくは、分枝状アニオン性界面活性剤は、分枝状アニオン性界面活性剤の少なくとも５０重量％、より好ましくは少なくとも６０重量％、特に少なくとも７０重量％のサルフェート界面活性剤を含む。洗浄観点の技術から特に好ましい洗剤は、分枝状アニオン性界面活性剤がその５０重量％超、より好ましくは少なくとも６０重量％、特に少なくとも７０重量％のサルフェート界面活性剤を含んでおり、このサルフェート界面活性剤がアルキルサルフェート、アルキルエトキシサルフェート及びこれらの混合物からなる群から選択される洗剤である。更により好ましいのは、分枝状アニオン性界面活性剤が約０．２〜約３、より好ましくは約０．３〜約２、更により好ましくは約０．４〜約１．５、特に約０．４〜約１のエトキシ化度を有しており、更により好ましくはアニオン性界面活性剤が約１０％〜約３５％、より好ましくは約２０％〜約３０％の分枝率を有する洗剤である。
【００５８】
スルホネート界面活性剤
本明細書に用いるのに好適なスルホネート界面活性剤としては、Ｃ８〜Ｃ１８アルキル又はヒドロキシアルキルスルホネートの水溶性塩；国際公開第９９／０５２４３号、同第９９／０５２４２号、第９９／０５２４４号、同第９９／０５０８２号、同第９９／０５０８４号、同第９９／０５２４１号、同第９９／０７６５６号、同第００／２３５４９号、及び同第００／２３５４８号に論じられているような、Ｃ１１〜Ｃ１８アルキルベンゼンスルホネート（ＬＡＳ）、修飾アルキルベンゼンスルホネート（ＭＬＡＳ）；メチルエステルスルホネート（ＭＥＳ）；並びにα−オレフィンスルホネート（ＡＯＳ）が挙げられる。スルホネート界面活性剤としては、１０〜２０個の炭素原子を有するパラフィンのスルホン化により得られる、モノスルホネート及び／又はジスルホネートであり得るパラフィンスルホネートも挙げられる。スルホネート界面活性剤としては、アルキルグリセリルスルホネート界面活性剤も挙げられる。
【００５９】
存在する場合、非イオン性界面活性剤は、組成物の０．１重量％〜３０重量％、好ましくは０．２重量％〜２０重量％、最も好ましくは０．５重量％〜１０重量％の典型量で含まれる。好適な非イオン性界面活性剤としては、脂肪族アルコールと１〜２５モルのエチレンオキシドとの縮合生成物が挙げられる。脂肪族アルコールのアルキル鎖は、直鎖又は分枝鎖状、第１級又は第２級でよく、一般的に８〜２２個の炭素原子を含有する。特に好ましいのは、１０〜１８個の炭素原子、好ましくは１０〜１５個の炭素原子を含有するアルキル基を有するアルコールと、アルコール１モル当たり２〜１８モル、好ましくは２〜１５モル、より好ましくは５〜１２モルのエチレンオキシドとの縮合生成物である。極めて好ましい非イオン性界面活性剤は、ゲルベアルコールと、アルコール１モル当たり２〜１８モル、好ましくは２〜１５モル、より好ましくは５〜１２モルのエチレンオキシドとの縮合生成物である。
【００６０】
他の好適な非イオン性界面活性剤としては、アルキルポリグリコシドが挙げられる。アルキルポリグリコシドは、当該技術分野において周知の生分解性非イオン性界面活性剤であり、本発明の組成物に使用することもできる。好適なアルキルポリグリコシドは、一般式ＣnＨ2n+1（Ｃ6Ｈ10Ｏ5）xＨを有することができ、式中、ｎは好ましくは９〜１６、より好ましくは１１〜１４であり、ｘは好ましくは１〜２、より好ましくは１．３〜１．６である。
【００６１】
両性界面活性剤
好ましい両性界面活性剤としては、アミンオキシド界面活性剤が挙げられる。好ましいアミンオキシドは、アルキルジメチルアミンオキシド又はアルキルアミドプロピルジメチルアミンオキシド、より好ましくはアルキルジメチルアミンオキシド、そして特にはココジメチルアミノオキシドである。アミンオキシドは、線状又は中等度分枝状アルキル基を有し得る。典型的な直鎖アミンオキシドとしては、１）Ｃ８〜Ｃ１８アルキル部位であるＲ１、並びに、２）Ｃ１〜３アルキル基及びＣ１〜３ヒドロキシアルキル基からなる群から選択されるＲ２及びＲ３部位、を含有する水溶性アミンオキシドが挙げられる。好ましくは、アミンオキシドは、式Ｒ１−Ｎ（Ｒ２）（Ｒ３）Ｏ（式中、Ｒ１はＣ８〜１８アルキルであり、Ｒ２及びＲ３はメチル、エチル、プロピル、イソプロピル、２−ヒドロキシエチル、２−ヒドロキシプロピル、及び３−ヒドロキシプロピルからなる群から選択される）により特徴付けられる。直鎖アミンオキシド界面活性剤としては特に、直鎖Ｃ１０〜Ｃ１８アルキルジメチルアミンオキシド及び直鎖Ｃ８〜Ｃ１２アルコキシエチルジヒドロキシエチルアミンオキシドを挙げることができる。好ましいアミンオキシドとしては、直鎖Ｃ１０、直鎖Ｃ１０〜Ｃ１２、及び直鎖Ｃ１２〜Ｃ１４アルキルジメチルアミンオキシドが挙げられる。本明細書で使用するとき、「中鎖分枝状（mid-branched）」とは、アミンオキシドが、炭素原子ｎ１個を有する１つのアルキル部分を有し、このアルキル部分上の１つのアルキル分枝が炭素原子ｎ２個を有することを意味する。アルキル分枝は、アルキル部分の窒素のα炭素に位置する。アミンオキシドにおけるこのタイプの分枝は、当該技術分野において、内部アミンオキシドとしても知られている。ｎ１とｎ２の合計は、１０〜２４個、好ましくは１２〜２０個、より好ましくは１０〜１６個の炭素原子である。１つのアルキル部分と１つのアルキル分枝とが対称となるように、１つのアルキル部分の炭素原子数（ｎ１）は、１つのアルキル分枝の炭素原子数（ｎ２）とおよそ同じであるべきである。本明細書で使用するとき、「対称」は、本明細書で用いられる中鎖分枝状アミンオキシドの少なくとも５０重量％、より好ましくは少なくとも７５重量％〜１００重量％が、｜ｎ１〜ｎ２｜が５以下、好ましくは４、最も好ましくは０〜４の炭素原子であることを意味する。
【００６２】
アミンオキシドは、Ｃ１〜３アルキル、Ｃ１〜３ヒドロキシアルキル基、又は約１〜約３個のエチレンオキシド基を平均で含有するポリエチレンオキシド基から独立して選択される２つの部位を更に含むことができる。好ましくは、２つの部位は、Ｃ１〜３アルキルから選択され、より好ましくは、両方がＣ１アルキルから選択される。
【００６３】
双性イオン性界面活性剤
他の好適な界面活性剤としては、アルキルベタイン、アルキルアミドベタイン、アミダゾリニウムベタイン、スルホベタイン（ＩＮＣＩスルタイン）並びにホスホベタインなどのベタインが挙げられ、好ましくは次の式（Ｉ）に合致する。
Ｒ1−［ＣＯ−Ｘ（ＣＨ2）n］x−Ｎ+（Ｒ2）（Ｒ3）−（ＣＨ2）m−［ＣＨ（ＯＨ）−ＣＨ2］y−Ｙ−（Ｉ）式中、
Ｒ1は飽和又は不飽和Ｃ６〜２２アルキル残基であり、好ましくはＣ８〜１８アルキル残基、特に飽和Ｃ１０〜１６アルキル残基、例えば飽和Ｃ１２〜１４アルキル残基であり、
Ｘは、ＮＨ、Ｃ１〜４アルキル残基Ｒ4を有するＮＲ4、Ｏ又はＳであり、
ｎは、１〜１０の数、好ましくは２〜５、特に３であり、
ｘは０又は１、好ましくは１であり、
Ｒ2、Ｒ3は独立して、ヒドロキシエチル、好ましくはメチルなどのヒドロキシ置換される可能性のあるＣ１〜４アルキル残基であり、
ｍは１〜４の数、特に１、２又は３であり、
ｙは０又は１であり、
ＹはＣＯＯ、ＳＯ３、ＯＰＯ（ＯＲ5）Ｏ又はＰ（Ｏ）（ＯＲ5）Ｏであり、式中Ｒ5は水素原子Ｈ又はＣ１〜４アルキル残基である。
【００６４】
好ましいベタインは、式（Ｉａ）のアルキルベタイン、式（Ｉｂ）のアルキルアミドプロピルベタイン、式（Ｉｃ）のスルホベタイン、及び式（Ｉｄ）のアミドスルホベタインであり；
Ｒ1−Ｎ+（ＣＨ3）2−ＣＨ2ＣＯＯ-                                    （Ｉａ）
Ｒ1−ＣＯ−ＮＨ（ＣＨ2）3−Ｎ+（ＣＨ3）2−ＣＨ2ＣＯＯ-−（          Ｉｂ）
Ｒ1−Ｎ+（ＣＨ3）2−ＣＨ2ＣＨ（ＯＨ）ＣＨ2ＳＯ3−                  （Ｉｃ）
Ｒ1−ＣＯ−ＮＨ−（ＣＨ2）3−Ｎ+（ＣＨ3）2−ＣＨ2ＣＨ（ＯＨ）ＣＨ2ＳＯ3−（Ｉｄ）式中、Ｒ1１は式Ｉにおけるものと同じ意味を有する。特に好ましいベタインはカルボベタイン［Ｙ-＝ＣＯＯ-］、特に式（Ｉａ）及び（Ｉｂ）のカルボベタインであり、式（Ｉｂ）のアルキルアミドベタインがより好ましい。
【００６５】
好適なベタイン及びスルホベタインの例は、アーモンドアミドプロピルベタイン、アプリコットアミドプロピルベタイン、アボカドアミドプロピルベタイン、ババスアミドプロピルベタイン、ベヘナミドプロピルベタイン、ベヘニルベタイン、ベタイン、キャノーラミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチル大豆グリシネート、ジヒドロキシエチルステアリルグリシネート、ジヒドロキシエチルタローグリシネート、ＰＧ−ベタインのプロピルジメチコーン、エルカミドプロピルヒドロキシスルタイン、水素添加タローベタイン、イソステアラミドプロピルベタイン、ラウラミドプロピルベタイン、ラウリルベタイン、ラウリルヒドロキシスルタイン、ラウリルスルタイン、ミルクアミドプロピルベタイン、ミンクアミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、ヤシアミドプロピルベタイン、パルミタミドプロピルベタイン、パルミトイルカルニチン、ヤシ仁アミドプロピルベタイン、ポリテトラフルオロエチレンアセトキシプロピルベタイン、リシノール酸アミドプロピルベタイン、セサミドプロピルベタイン、ソイアミドプロピルベタイン、ステアラミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚芽アミドプロピルベタインである［ＩＮＣＩに従って表記］。
【００６６】
好ましいベタインは例えば、ココアミドプロピルベタインである。
【００６７】
任意成分：
キレート剤：液体洗浄組成物は、キレート化剤又は結晶成長抑制剤を含むことが好ましい。好適なキレート剤は、界面活性剤と組み合わせて、光沢効果、並びに、グリース及び漂白剤感受性汚れ等における特定の汚れ除去性能効果を改善する。より具体的には、水の硬度は、洗浄組成物による粒子の除去を困難にする可能性がある。キレート剤、特にアミノカルボキシレートキレート剤、より好ましくはグルタミン−Ｎ，Ｎ−二酢酸の塩からなる群から選択されるキレート剤は、疎水性汚れに固着する粒子状汚れの除去を改善するため、このような疎水性汚れの除去を改善する。
【００６８】
水の硬度が高いと、形成された脂肪酸が更に不溶性塩を形成してしまい、これにより泡の形成が低下する可能性がある。そのために、キレート剤、特に上述のキレート剤は、特に硬水の存在下において、泡立ちの一層の持続をもたらす。
【００６９】
キレート剤は、組成物中に、全組成物の０．０５重量％〜５．０重量％、好ましくは０．１重量％〜３．０重量％、より好ましくは０．２重量％〜２．０重量％、そして最も好ましくは０．２５重量％〜１．５重量％の範囲の量で組み込むことができる。
【００７０】
好適なホスホネートキレート剤としては、エチレンジアミンテトラメチレンホスホネート、及びジエチレントリアミンペンタメチレンホスホネート（ＤＴＰＭＰ）が挙げられ、これらの酸形態、又は塩のいずれかとして存在させることができる。
【００７１】
本明細書に用いるのに好ましい生分解性キレート剤は、エチレンジアミンＮ，Ｎ’−二コハク酸、若しくはこれらのアルカリ金属、若しくはアルカリ土類、アンモニウム若しくは置換アンモニウム塩、又はこれらの混合物、例えば、米国特許第４７０４２３３号に記載されているものである。より好ましい生分解性キレート剤は、Ａｋｚｏ  Ｎｏｂｅｌから商標名Ｄｉｓｓｏｌｖｉｎｅ  ４７Ｓで市販されているＬ−グルタミン酸Ｎ，Ｎ−二酢酸（ＧＬＤＡ）である。
【００７２】
好適なアミノカルボキシレートとしては、酸形態、又はアルカリ金属、アンモニウム、及び置換アンモニウム塩形態の両方での、エチレンジアミンテトラアセテート、ジエチレントリアミンペンタアセテート、ジエチレントリアミンペンタアセテート（ＤＴＰＡ）、Ｎ−ヒドロキシエチルエチレンジアミントリアセテート、ニトロトリアセテート、エチレンジアミンテトラプロピオネート、トリエチレンテトラアミンヘキサアセテート、エタノールジグリシン、及びメチルグリシン二酢酸（ＭＧＤＡ）が挙げられる。本明細書で使用する特に好適なアミノカルボキシレートは、例えば、商標名Ｔｒｉｌｏｎ  ＦＳ（登録商標）にてＢＡＳＦから市販されているプロピレンジアミン四酢酸（ＰＤＴＡ）、及びメチルグリシン二酢酸（ＭＧＤＡ）である。本明細書で使用する最も好ましいアミノカルボキシレートは、ＢＡＳＦ製のジエチレントリアミンペンタアセテート（ＤＴＰＡ）である。更に、本明細書に用いるカルボキシレートキレート剤としては、サリチル酸、アスパラギン酸、グルタミン酸、グリシン、マロン酸、又はこれらの混合物が挙げられる。
【００７３】
増粘剤：液体洗浄組成物は増粘剤を含み得る。増加した粘度、特に低剪断粘度により、特に、処理する表面に未希釈で塗布する場合、特に表面が水平でない場合に、より長い接触時間がもたらされ、それ故グリース汚れ及び／又は粒子状グリース汚れの浸透が改善し、洗浄効果の向上がもたらされる。更に、高い低剪断粘度は、液体洗浄組成物の相安定性を改善する。
【００７４】
好適な増粘剤としては、ポリアクリレート系ポリマー、好ましくは疎水変性ポリアクリレートポリマー；ヒドロキシルエチルセルロース、好ましくは疎水変性ヒドロキシルエチルセルロース、キサンタンガム、硬化ヒマシ油（ＨＣＯ）、及びこれらの混合物が挙げられる。
【００７５】
好ましい増粘剤は、ポリアクリレート系ポリマー、好ましくは疎水変性ポリアクリレートポリマーである。水溶性コポリマーは、主なモノマーであるアクリル酸、アクリル酸エステル、酢酸ビニル、メタクリル酸、アクリロニトリル及びこれらの混合物をベースにするのが好ましく、コポリマーは、乳様の外観を有し、低粘性分散のメタクリル酸及びアクリル酸エステルをベースにするのがより好ましい。最も好ましい疎水変性ポリアクリレートポリマーは、ＢＡＳＦから市販されているＲｈｅｏｖｉｓ（登録商標）ＡＴ  １２０である。
【００７６】
本明細書で使用する最も好ましい増粘剤は、ＢＡＳＦから市販されているＲｈｅｏｖｉｓ（登録商標）ＡＴ  １２０等のメタクリル酸／アクリル酸コポリマーである。
【００７７】
使用する場合、液体洗浄組成物は、全組成物の０．１重量％〜１０．０重量％、好ましくは０．２重量％〜５．０重量％、より好ましくは０．２重量％〜２．５重量％、及び最も好ましくは０．２重量％〜２．０重量％の上記増粘剤を含む。
【００７８】
ポリマー：液体洗浄組成物はポリマーを含んでよい。例えばポリマーは、ポリマーが組成物にもたらす特定の泡立ち／泡成形特性のために、液体洗浄組成物のグリース除去性能を更に改善する。本明細書に用いるのに好適なポリマーは、同時係属の欧州特許出願２２７２９４２（０９１６４８７２．５）号、及び登録欧州特許第２０２５７４３（０７１１３１５６．９）号に開示されている。
【００７９】
ポリマーは、ビニルピロリドンホモポリマー（ＰＶＰ）；ポリエチレングリコールジメチルエーテル（ＤＭ−ＰＥＧ）；ビニルピロリドン／ジアルキルアミノアルキルアクリレート又はメタクリレートコポリマー；ポリスチレンスルホネートポリマー（ＰＳＳ）；ポリビニルピリジン−Ｎ−オキシド（ＰＶＮＯ）；ポリビニルピロリドン／ビニルイミダゾールコポリマー（ＰＶＰ−ＶＩ）；ポリビニルピロリドン／ポリアクリル酸コポリマー（ＰＶＰ−ＡＡ）；ポリビニルピロリドン／酢酸ビニルコポリマー（ＰＶＰ−ＶＡ）；ポリアクリルポリマー又はポリアクリルマレインコポリマー；及びポリアクリル又はポリアクリルマレインホスホノ末端基コポリマー；並びにこれらの混合物からなる群から選択される。
【００８０】
通常、液体洗浄組成物は、全組成物の０．００５重量％〜５．０重量％、好ましくは０．１０重量％〜４．０重量％、より好ましくは０．１重量％〜３．０重量％、そして最も好ましくは０．２０重量％〜１．０重量％の上記ポリマーを含んでよい。
【００８１】
脂肪酸：液体洗浄組成物は、非常に好ましい任意成分、特に消泡剤として、脂肪酸を含んでよい。脂肪酸は、塗布した表面から組成物が洗い流されるときに液体洗浄組成物の泡立ちを低減させるので、本明細書において脂肪酸が所望される。
【００８２】
好適な脂肪酸としては、Ｃ8〜Ｃ24脂肪酸のアルカリ塩が挙げられる。このようなアルカリ塩としては、脂肪酸のナトリウム、カリウム及び／又はリチウム塩、並びにアンモニウム及び／又はアルキルアンモニウム塩等の、金属完全飽和塩が挙げられ、好ましくはナトリウム塩が挙げられる。本明細書に用いるのに好ましい脂肪酸は、８〜２２、好ましくは８〜２０、そしてより好ましくは８〜１８個の炭素原子を含有する。好適な脂肪酸は、カプリル酸、カプリン酸、ラウリン酸、ミリスチン酸、パルミチン酸、ステアリン酸、オレイン酸、並びに、植物又は動物エステル等の天然源（例えばパーム油、オリーブ油、ヤシ油、大豆油、ヒマシ油、獣脂、グランド油、クジラ及び魚油、並びに／又はババス油）に由来する、好適に硬化される脂肪酸の混合物から選択されてよい。例えば、ココナッツ脂肪酸は、ＰＡＬＭＥＲＡＢ１２１１の名称にてＫＬＫ  ＯＬＥＡから市販されている。
【００８３】
通常、液体洗浄組成物は、全組成物の６．０重量％以下の上記脂肪酸、好ましくは全組成物の０．１重量％〜３．０重量％、より好ましくは０．１重量％〜２．０重量％、そして最も好ましくは０．１５重量％〜１．５重量％の上記脂肪酸を含んでよい。
【００８４】
分枝状脂肪族アルコール：液体洗浄組成物は、特に消泡剤としての分枝状脂肪族アルコールを含んでよい。適した分枝状脂肪族アルコールとしては、６〜１６、好ましくは７〜１３、より好ましくは８〜１２、最も好ましくは８〜１０個の炭素原子と、末端ヒドロキシ基とを含むアルキル鎖を有する２−アルキルアルカノールが挙げられ、上記アルキル鎖は、１〜１０、好ましくは２〜８、そしてより好ましくは４〜６個の炭素原子を含むアルキル鎖により、α位（即ち位置番号２）にて置換されている。このような好適な化合物は、例えばＳａｓｏｌから市販されている、Ｉｓｏｆｏｌ（登録商標）１２（２−ブチル−オクタノール）又はＩｓｏｆｏｌ（登録商標）１６（２−ヘキシルデカノール）等のＩｓｏｆｏｌ（登録商標））シリーズとして、市販されている。
【００８５】
通常、液体洗浄組成物は、全組成物の２．０重量％以下、好ましくは０．１０重量％〜１．０重量％、より好ましくは０．１重量％〜０．８重量％、及び最も好ましくは０．１重量％〜０．５重量％の上記分枝状脂肪族アルコールを含んでよい。
【００８６】
その他の任意成分：液体組成物は、目的とする技術的利点と、処理する表面に応じて、種々の他の任意成分を含んでよい。本明細書に用いるのに好適な任意成分としては、香料、研磨剤、その他のポリマー、コンディショニングポリマー、表面改質ポリマー、汚れ凝集ポリマー、構造化剤、肌軟化剤、湿潤剤、肌若返り活性物質、酵素、カルボン酸、スクラブ粒子、漂白剤及び漂白活性化剤、緩衝剤、殺菌剤、向水性物質、着色剤、安定剤、ラジカルスカベンジャー、研磨剤、汚れ懸濁剤、増白剤、抗ダスティング剤、分散剤、移染阻害剤、顔料、シリコーン、染料、不透明化剤、香料、悪臭制御剤、ビーズ、真珠光沢粒子、マイクロカプセル、アルカリ土類金属（Ｃａ／Ｍｇイオン等）といった無機カチオン、抗菌剤、保存料及びｐＨ調整剤、並びに緩衝剤（buffering means）が挙げられる。
【００８７】
表面の洗浄方法：
記載する液体洗浄組成物は、家庭の表面の洗浄に適している。特に、このような組成物は、汚れ、特に疎水性汚れ、そしてとりわけ、油、脂肪、ポリマーグリース、及びこれらの混合物からなる群から選択される疎水性汚れの除去に対して特に有用である。
【００８８】
本明細書において記載されている方法は特に、表面、特に家庭、とりわけ家庭の室内で見出される表面の洗浄に適している。洗浄される表面としては、セラミック、ビニル、無ワックスビニル、リノリウム、メラミン、ガラス、鋼、キッチン加工面、任意のプラスチック、プラスチック化木材、金属又は任意の塗装若しくはワニス仕上げ若しくは密封表面等のような異なる材料からできている、キッチン及び浴室、例えば床、壁、タイル、窓、食器棚、流し、シャワー、シャワープラスチック化カーテン、洗面台、トイレ、什器及び付属品が挙げられる。家庭の硬質表面はまた、家庭用電化製品を含むが、その例としては、冷蔵庫、冷凍庫、食洗器、自動式乾燥機、オーブン、マイクロ波式オーブンレンジ、食洗器等が挙げられるが、これらに限られない。そのような硬質表面は、個人の家庭において、また商業用、企業用、及び工業用環境においても見出され得る。
【００８９】
本明細書において記載されている方法は、例えば液体食器洗浄組成物を用いた、台所用品、例えばポット、パン、プレート、ボウル、カップ、グラス、カトラリー等の処理にもまた適している。
【００９０】
本明細書において記載されている方法は、多孔質表面、例えば生地、花崗岩、セラミック、大理石、石灰華、スレート、石灰岩及び木材表面、特に硬質表面（花崗岩、セラミック、大理石、石灰華、スレート、石灰岩及び木材表面等）の疎水性汚れの処理にもまた適している。
【００９１】
本明細書において記載されている方法は、セラミックス、グラス、金属製のカトラリー、及びこれらの組み合わせからなる群から選択されるもの等の食卓用食器具における疎水性汚れの処理にもまた適している。
【００９２】
好ましい洗浄方法は、所望により表面を予め湿らす工程と、液体洗浄組成物を塗布する工程と、表面を水で洗浄する工程とを含む。
【００９３】
液体洗浄組成物は、未希釈のまま、又は最初に希釈して表面に塗布することができる。希釈する場合、液体洗浄組成物を、塗布前の０．００１体積％〜１０体積％の希釈濃度まで希釈するのが好ましい。好ましい実施形態では、液体洗浄組成物を０．００５体積％〜５．０体積％の濃度まで希釈してよい。特に、液体洗浄組成物中に全界面活性剤が５重量％以上で存在する場合、液体洗浄組成物を０．０１体積％〜２体積％の濃度まで希釈してよい。液体洗浄組成物中の全界面活性剤の量が５重量％未満である場合、液体洗浄組成物を０．７体積％〜１．４体積％の濃度まで希釈してよい。好ましい実施形態では、液体洗浄組成物を水で希釈する。
【００９４】
希釈濃度は、希釈した組成物の総量に対する、液体洗浄組成物部分として定義される体積％として表される。例えば、５体積％の希釈濃度は、液体洗浄組成物５０ｍＬが希釈組成物１０００ｍＬを形成するよう希釈されることに等しい。
【００９５】
希釈組成物は、モップ、スポンジ、又は他の好適な用具を使用することを含む任意の好適な手段により塗布することができる。
【００９６】
表面に塗布した場合、液体洗浄組成物は、臨界ミセル濃度を超える濃度で存在する界面活性剤を含むのが好ましい。表面張力の測定は当該技術分野において周知であり、２１℃で測定したときに、表面張力が、界面活性剤濃度とは無関係となるときの濃度として測定することができる。液体洗浄組成物は、臨界ミセル濃度の１〜１００倍、好ましくは２〜１０倍の濃度で界面活性剤を含むのがより好ましい。
【００９７】
本明細書で使用する液体洗浄組成物は、未希釈で塗布する場合でも肌に対してそれほど刺激が強くないため、本発明の方法は特に家庭用用途に適している。
【００９８】
任意の更なる工程において、硬質表面を、好ましくはきれいな水を用いて洗い流すことができる。
【００９９】
あるいは及びとりわけ、特に汚れた又は脂の多い箇所に関しては、液体洗浄組成物を硬質表面に未希釈のまま塗布することができる。溶媒、界面活性剤及びｐＨを組み合わせることで、汚れ、特に疎水性汚れの改善された浸透がもたらされ、肌には一層安全なままで、改善された界面活性作用及び汚れ除去がもたらされると考えられている。
【０１００】
「未希釈」とは、液体洗浄組成物が任意の著しい希釈を受けることなく、処理される表面に直接塗布されること、即ち、組成物を最初に希釈することなく、直接又はスポンジ等の用具を用いてのいずれかにより、本明細書の液体洗浄組成物が硬質表面に塗布されることと理解されるべきである。「著しい希釈」とは、組成物が、組成物の１０体積％未満、好ましくは５体積％未満、より好ましくは３体積％未満まで希釈されることを意味する。このような希釈は、水気のある用具を使用して、組成物を硬質表面、例えば「絞って」乾燥させたスポンジ等に塗布することにより行うことができる。
【０１０１】
本発明の別の好ましい実施形態では、上記硬質表面の洗浄方法は、上記液体洗浄組成物を上記硬質表面に塗布、好ましくはスプレーする工程と、上記液体洗浄組成物を残して上記表面上で一定期間作用させて、機械的作用を加えて、又は加えることなく、上記組成物を作用させる工程と、所望により、上記液体洗浄組成物を除去する工程、好ましくは、上記硬質表面を水で洗い流す、及び／又は上記硬質表面を適切な器具、例えばスポンジ、紙又は布タオル等で拭き取ることにより上記液体洗浄組成物を除去する工程を含む。このような組成物をスプレー散布器により提供することができる。
【０１０２】
方法：
Ａ）ｐＨ測定：
ｐＨは、取扱説明マニュアルに従って較正した、ゲル充填プローブ（Ｔｏｌｅｄｏプローブ（品番５２  ０００  １００）等）を備えたＳａｒｔａｒｉｕｓ  ＰＴ−１０Ｐ  ｐＨメーターを使用して、２０℃における１０重量％の調製物の脱イオン水溶液として測定する。
【０１０３】
Ｂ）予備アルカリ度：
２０℃で、調製物１００ｇと共に水酸化ナトリウム溶液を使用して組成物の１％溶液の滴定することにより、予備アルカリ度をｐＨ７．０まで測定する。
【０１０４】
Ｃ）予備酸性度：
２０℃で、調製物１００ｇと共に塩酸を使用して組成物の１％溶液を滴定することにより、予備酸性度をｐＨ７．０まで測定する。
【実施例】
【０１０５】
単純に混合することにより、以下の液体硬質表面洗浄組成物を調製した。
【０１０６】
【表１】
2018522116.tif 000002
*比較
1  Ｈｕｎｔｓｍａｎから市販されている直鎖アルキルベンゼンスルホン酸
2  Ｓｈｅｌｌから市販されている非イオン性界面活性剤
3  Ｈｕｎｔｓｍａｎから市販されているアミンオキシド非イオン性界面活性剤
4  ＳａｓｏｌからＩｓｏｆｏｌ  １２（登録商標）として市販
5  Ｍｏｎｓａｎｔｏから入手可能なジエチレントリアミンペンタメチレンホスホネート
6  Ｄｏｗ  Ｃｈｅｍｉｃａｌ  Ｃｏｍｐａｎｙ製のドワノールＰｎＰ
7  Ｄｏｗ  Ｃｈｅｍｉｃａｌ  Ｃｏｍｐａｎｙ製のドワノールＤＰｎＰ
8  Ｄｏｗ  Ｃｈｅｍｉｃａｌ  Ｃｏｍｐａｎｙ製のドワノールＰｎＢ
9  Ｄｏｗ  Ｃｈｅｍｉｃａｌ  Ｃｏｍｐａｎｙ製のドワノールＤＰｎＢ
10  ＢＡＳＦから市販されているＳｏｋａｌａｎ（登録商標）ＡＴ  １２０
【０１０７】
以下の方法を使用して貫通時間（breakthrough time）を測定するにより、組成物が油に浸透する能力を評価した：
０．１５重量％のキサンタンガム（ＣＰ−ｋｅｌｃｏ製のＫｅｌｔｒｏｌ（商標）ＲＤを含有する水溶液（３５ｇ）を、光沢のある白色セラミックディッシュプレート（Ｉｋｅａより供給、製品：Ｓ．Ｐｒｙｌｅ  ＃１３７８１、直径２６．５ｃｍ）へと注いだ。
【０１０８】
オリーブ油（ＢｅｒｔｏｌｉブランドにてＵｎｉｌｅｖｅｒより販売、製品番号Ｌ５３１３Ｒ  ＨＯ７５６  ＭＩ０００２）に、赤色染料（Ｗａｘｏｌｉｎｅ  Ｒｅｄ、Ａｖｅｃｉａより供給されている赤色染料色素）０．０５重量％を添加して赤色に染色し、均一な染料分布となるように１時間攪拌した。染色したオリーブ油２．５ｇを水面に静かに配置することにより、油層の薄いディスクを形成する。この油のディスク径を測定し、複数の複製間で直径が平均値の２０％超のばらつきを超えないことを確認した。
【０１０９】
５ｍｍ未満の高さから、５ｍＬのパスツールピペット（ＶＷＲより供給、製品：５ｍＬ  ＃６１２〜１６８４）より、硬質表面洗浄組成物１滴を、油ディスクの中心の油層に静かに配置した。
【０１１０】
溶液滴下による配置から、油ディスクの中央に水層が現れることにより識別される油ディスクの開口までを記録した時間として、貫通時間を測定した。平均貫通時間を計算するため、同様の作業をサンプル毎に８回行なう必要があった。
【０１１１】
平均貫通時間を下表に示す。
【０１１２】
【表２】
2018522116.tif 000003
*比較
【０１１３】
上の表から確認できるように、式Ｉ（ドワノールＰｎＢ、ドワノールＤＰｎＢ）又は式ＩＩ（ドワノールＰｎＰ、ドワノールＤＰｎＰ）に従ったグリコールエーテル溶媒を含む本発明の組成物は、組成物の油等の疎水性物質中への浸透を改善する。溶媒が液体組成物の汚れへの浸透を改善するため、改善された界面活性は、アルカリ性ｐＨと組み合わさり、このような疎水性汚れの分散を改善する。
【０１１４】
本発明に従ったグリコールエーテル溶媒が疎水性汚れの分散を改善する能力もまた、酸性配合物を用いて確認された。
【０１１５】
単純に混合することにより、以下の液体硬質表面洗浄組成物を調製した。
【０１１６】
【表３】
2018522116.tif 000004
*比較
11  Ｊｕｎｇｂｕｎｚｌａｕｅｒ  Ｌａｄｅｎｂｕｒｇ  Ｇｍｂｈから市販
12  ＢＡＳＦから市販
【０１１７】
平均貫通時間を下表に示す。
【０１１８】
【表４】
2018522116.tif 000005
*比較
【０１１９】
上の表から確認できるように、式Ｉ（ドワノールＰｎＢ、ドワノールＤＰｎＢ）又は式ＩＩ（ドワノールＰｎＰ、ドワノールＤＰｎＰ）に従ったグリコールエーテル溶媒を含む本発明の組成物は、組成物の油等の疎水性物質への浸透を改善する。溶媒が液体組成物の汚れへの浸透を改善するため、改善された界面活性は、酸性ｐＨ配合物におけるこのような疎水性汚れの分散を改善する。
【０１２０】
以下のアルカリ性組成物は、本発明の非限定的実施形態である：
【０１２１】
【表５】
2018522116.tif 000006
13  ＩＣＩ又はＳｈｅｌｌから市販されている非イオン性界面活性剤
14  ＢＡＳＦから市販されている非イオン性界面活性剤
15  Ｓａｓｏｌから市販されている非イオン性界面活性剤
16  Ｈｕｎｔｓｍａｎから市販されている直鎖アルキルベンゼンスルホン酸ナトリウム
17  ＩＣＳから市販されているパラフィンスルホン酸ナトリウム
18  ＭＣ  Ｉｎｔｙｒｅグループから市販されている両性界面活性剤
19  疎水変性ヒドロキシエチルセルロース（セチルヒドロキシエチルセルロール）
20  ＣＰ  Ｋｅｌｃｏから市販されているＫｅｌｚａｎ  Ｔ
21  ＢＡＳＦから入手可能なジエチレントリアミンペンタアセテート
22  Ａｋｚｏ  Ｎｏｂｅｌから市販されているグルタミン酸二酢酸四ナトリウム
23  ＪＴ  Ｂａｋｅｒから市販されているイソプロパノール
【０１２２】
実施例の組成物Ｋ〜Ｓは、良好な又は素晴らしい疎水性汚れの除去を示す。
【０１２３】
列挙する割合（重量％）で列挙する成分を含む、以下の酸性組成物を作製した。本明細書の実施例は本発明を例示するが、本発明の範囲を制限、又は別様においては規定するために必ずしも使用されるものではない。
【０１２４】
【表６】
2018522116.tif 000007
24  乳酸及び酢酸はＡｌｄｒｉｃｈから市販されている
25  硫酸化Ｓａｆｏｌ  ２３は、Ｓａｓｏｌから市販されているアルコールのＳａｆｏｌ  ２３をベースにした、硫酸化されている分枝状Ｃ１２〜１３サルフェート界面活性剤である
26  ＰＶＰは、ＩＳＰ  Ｃｏｒｐｏｒａｔｉｏｎから市販されているビニルピロリドンホモポリマーである
【０１２５】
実施例組成物Ｔ〜ＡＢは、良好な又は素晴らしい水垢除去性能及び疎水性汚れの除去を示しながら、処理表面上に対して良好な表面安全性をもたらす。
【０１２６】
本発明に記載のグリコールエーテル溶媒の影響は、洗剤組成物に添加した場合に、時間が経過しても泡を維持する能力についてもまた評価されている。手洗い用食器洗剤組成物としての使用に好適な、以下の液体硬質表面洗浄組成物を、個々の原材料を単純に混合することで調製した：
【０１２７】
【表７】
2018522116.tif 000008
*比較
1  Ｐ＆Ｇ  ＣＨｅｍｉｃａｌｓにより製造されるアニオン性界面活性剤
27  ＢＡＳＦから市販されている非イオン性界面活性剤
【０１２８】
上記サンプルをそれぞれ１０ｇガラス瓶（直径２ｃｍ、高さ８．５ｃｍ）に入れた後、ガラス瓶を閉じた。瓶を全てラックに配置して、１秒当たり１回の上下振盪とする一定周期の上下運動（開始地点から１０〜１５ｃｍ上方に上げ、及び開始地点に戻してそこから１０〜１５ｃｍ下げる）にて、手動で２０秒間、共に振盪した。振盪直後に、各サンプル中の泡の高さを測定し、１時間後に再測定した。
【０１２９】
下表は異なるサンプルに関して測定した、泡の高さを示す。
【０１３０】
【表８】
2018522116.tif 000009
【０１３１】
上の表から確認できるように、式Ｉ（ドワノールＰｎＢ、ドワノールＤＰｎＢ）又は式ＩＩ（ドワノールＰｎＰ）に従ったグリコールエーテル溶媒を含む本発明の組成物は、最初の泡の高さを増加させ、かつ、比較実施例のグリコールエーテル非含有配合物ＡＦ*と比較して、時間が経過しても泡の維持を補助した。
【０１３２】
本明細書に開示した寸法及び値は、記載された正確な数値に厳密に限定されるものと理解されるべきではない。むしろ、別段の定めがない限り、そのような各寸法は、記載された値及びその値の周辺の機能的に同等の範囲の両方を意味するものとする。例えば、「４０ｍｍ」として開示される寸法は、「４０ｍｍ」を意味することが意図される。
【国際調査報告】
2018522116.tif 000010
2018522116.tif 000011
2018522116.tif 000012
2018522116.tif 000013
2018522116.tif 000014
2018522116.tif 000015
2018522116.tif 000016